(57)【要約】      （修正有）【課題】軸筒のスマートな外観が得られ、軸筒をデザインする際の自由度が増加し、しかも、ぐらつきのない安定したキャップの後ろ差し構造が得られる筆記具を提供する。【解決手段】軸筒３のペン先２側から外したキャップ６を軸筒３の後端部に装着可能に構成する。軸筒３の後端部外面に、後方に向かうに従い外径が漸減する平滑な傾斜面５１を設ける。キャップ６内面に、前記傾斜面５１に圧接係止可能な第１の係止部６１と、該第１の係止部６１より後方に位置し且つ前記傾斜面５１に圧接係止可能な第２の係止部６２とを設ける。キャップ６を合成樹脂の成形体から構成するとともに前記第１の係止部６１及び第２の係止部６２の各々をキャップ６内面に一体に形成する。第１の係止部６１及び第２の係止部６２の各々が環状段部よりなる。キャップ６を軸筒３の後端部に装着した際、第１の係止部６１及び第２の係止部６２の各々が傾斜面５１に線状に圧接係止する。【選択図】図１
0003144925.tif 000002
【実用新案登録請求の範囲】
【請求項１】
軸筒のペン先側から外したキャップを軸筒の後端部に装着可能に構成した筆記具であって、軸筒の後端部外面に、後方に向かうに従い外径が漸減する平滑な傾斜面を設け、キャップ内面に、前記傾斜面に圧接係止可能な第１の係止部と、該第１の係止部より後方に位置し且つ前記傾斜面に圧接係止可能な第２の係止部とを設けたことを特徴とする筆記具。
【請求項２】
キャップを合成樹脂の成形体から構成するとともに前記第１の係止部及び第２の係止部の各々をキャップ内面に一体に形成し、前記第１の係止部及び第２の係止部の各々が環状段部よりなり、キャップを軸筒の後端部に装着した際、前記第１の係止部及び第２の係止部の各々が傾斜面に線状に圧接係止してなる請求項１記載の筆記具。
【請求項３】
前記第１の係止部がキャップの略開口端に位置してなる請求項２記載の筆記具。
【考案の詳細な説明】
【技術分野】
【０００１】
本考案は、筆記具に関する。詳細には、軸筒のペン先側から外したキャップを軸筒の後端部に装着可能に構成した筆記具に関する。
【背景技術】
【０００２】
従来、例えば、特許文献１には、軸筒の後端に凹部を周状に形成し、キャップ内面の凸部が乗り越え嵌合するキャップ後ろ差し構造が開示されている。さらに、特許文献１には、軸筒の外側壁に段部を形成し、この段部に、前記乗り越え嵌合した際にキャップの開口端が当接する構造が開示されている。
【０００３】
【特許文献１】実用新案登録第２５１３３９５号
【考案の開示】
【考案が解決しようとする課題】
【０００４】
前記従来の構造は、キャップを軸筒後端部に嵌合可能にするために、軸筒の後端部外面に凹部や段部を形成する必要があり、軸筒のスマートな外観が得られないし、軸筒をデザインする際の自由度が減少する。
【０００５】
本考案は前記従来の問題点を解決するものであって、軸筒のスマートな外観が得られ、軸筒をデザインする際の自由度が増加し、しかも、ぐらつきのない安定したキャップの後ろ差し構造が得られる筆記具を提供しようとするものである。尚、本考案において、「前」とは軸筒においてペン先側を、キャップにおいて開口端側を指し、「後」とは軸筒において尾端側を、キャップにおいて閉塞端側を指す。
【課題を解決するための手段】
【０００６】
［１］本考案は、軸筒３のペン先２側から外したキャップ６を軸筒３の後端部に装着可能に構成した筆記具であって、軸筒３の後端部外面に、後方に向かうに従い外径が漸減する平滑な傾斜面５１を設け、キャップ６内面に、前記傾斜面５１に圧接係止可能な第１の係止部６１と、該第１の係止部６１より後方に位置し且つ前記傾斜面５１に圧接係止可能な第２の係止部６２とを設けたこと（請求項１）を要件とする。
【０００７】
前記筆記具１（請求項１）は、軸筒３の後端部外面に後方に向かうに従い外径が漸減する平滑な傾斜面５１を設け、従来のような軸筒３の後端部外面に凹部や段部を必要としないため、軸筒３のスマートな外観が得られ、軸筒３をデザインする際の自由度が増加する。
【０００８】
また、軸筒３の後端部外面に凹部や段部を形成する従来の構造を採用しないため、軸筒３の後端部に装着したキャップ６がぐらつく可能性があるが、前記筆記具１（請求項１）は、キャップ６内面に、傾斜面５１に圧接係止可能な第１の係止部６１と、該第１の係止部６１より後方に位置し且つ傾斜面５１に圧接係止可能な第２の係止部６２を設けたことにより、ぐらつきの無い安定したキャップ後ろ差し構造が得られる。もし、軸筒３の後端部外面の傾斜面５１と圧接係止する係止部が、１箇所の場合、軸筒３後端部に装着されたキャップ６がぐらつくか、あるいは軸筒３後端部からキャップ６が容易に外れるおそれがある。
【０００９】
尚、前記筆記具１（請求項１）において、前記傾斜面５１と軸線とのなす角度αは、１度以上１０度以下（好ましくは２度以上８度以下）であることが好ましい。前記角度αが１度未満では、軸筒３の後端部がキャップ６内に強固に圧接され、キャップ６を取り外すことが困難になる。一方、前記角度αが１０度を越える場合、筆記時の軸筒３後端部外面とキャップ６内面との安定した圧接係止が得られず、キャップ６が軸筒３後端部から外れやすくなる。前記傾斜面５１は、円錐面、僅かな凹曲面（但し見た目には円錐面）、僅かな凸曲面（但し見た目には円錐面）のいずれであってもよい。
【００１０】
［２］前記筆記具１（請求項１）において、キャップ６を合成樹脂の成形体から構成するとともに前記第１の係止部６１及び第２の係止部６２の各々をキャップ６内面に一体に形成し、前記第１の係止部６１及び第２の係止部６２の各々が環状段部よりなり、キャップ６を軸筒３の後端部に装着した際、前記第１の係止部６１及び第２の係止部６２の各々が傾斜面５１に線状に圧接係止してなること（請求項２）が好ましい。
【００１１】
前記筆記具１（請求項２）は、キャップ６を合成樹脂の成形により得る場合、第１の係止部６１及び第２の係止部６２の各々が環状であるため、キャップ６側壁を均一肉厚にし、キャップ６後ろ差しの繰り返しによってキャップ６側壁にクラックが発生することを防止できる。なぜなら、もし、キャップ６内面の係止部が環状でなく、複数の周状に分散した突起よりなる場合、キャップ後ろ差しの繰り返しによってキャップ６側壁にクラックが発生するおそれがある。
【００１２】
また、前記筆記具１（請求項２）は、キャップ６内面が傾斜面５１の軸方向の距離を置いた二箇所で環状の線状に圧接係止されるため、軸筒３の後端部外面及びキャップ６の内面の形状ばらつきが生じたとしても、ぐらつきのない安定したキャップ後ろ差し構造が得られる。なぜなら、もし、軸筒３の後端部外面の傾斜面５１とキャップ６内面とが面状に接触し圧接係止するように設定した場合、僅かな形状ばらつきにより、軸筒３の後端部外面の傾斜面５１とキャップ６内面とが確実に面状に接触できず、軸筒３後端部に装着されたキャップ６が、ぐらつくか、あるいは、軸筒３後端部から容易に外れるおそれがあるからである。
【００１３】
［３］前記筆記具１において、前記第１の係止部６１がキャップ６の略開口端に位置してなること（請求項３）が好ましい。
【００１４】
前記筆記具１（請求項３）は、軸筒３の後端部の外径を極端に小径にする必要がなく、軸筒３の後端部外面をデザインする際の自由度が、より一層、増加する。また、キャップ６を軸筒３後端部に装着した際にキャップ６の開口部内面が傾斜面５１に圧接係止されるため、軸筒３の全長が比較的短い場合でも、軸筒３後端部にキャップ６を装着することにより、筆記使用時の筆記具１の全長を延長化でき、筆記具１を把持しやすくなる。
【考案の効果】
【００１５】
請求項１の筆記具によれば、軸筒のスマートな外観が得られ、軸筒をデザインする際の自由度が増加し、しかも、ぐらつきのない安定したキャップ後ろ差し構造が得られる
【００１６】
請求項２の筆記具によれば、キャップ後ろ差しの繰り返しによるキャップ側壁にクラックが発生すること防止できるとともに、軸筒の後端部外面及びキャップ内面形状ばらつきが生じたとしても、ぐらつきのない安定したキャップ後ろ差し構造が得られる。
【００１７】
請求項３の筆記具によれば、軸筒の後端部外面をデザインする際の自由度が、より一層、増加する。
【考案を実施するための最良の形態】
【００１８】
本考案の筆記具の実施の形態を説明する（図１及び図２参照）。
【００１９】
本実施の形態の筆記具１は、軸筒３と、該軸筒３の前端部（ペン先２側）及び軸筒３の後端部に着脱自在に装着されるキャップ６とからなる。図１において、キャップ６は軸筒３の後端部に装着されている。
【００２０】
軸筒３の前端にはペン先２が取り付けられる。本実施の形態では、ペン先２は、軸方向に延びるインキ誘導用のスリットを前端に備えた金属板製ペン体（いわゆる万年筆用ペン先２）よりなる。
【００２１】
前記軸筒３は、合成樹脂（例えばポリプロピレン）の射出成形により得られる円筒体である。軸筒３は、前端にペン先２を備えた前軸４と、該前軸４の後方に連設される後軸５とからなる。軸筒３のペン先２側にキャップ６を装着した際、前記前軸４は、キャップ６によって覆われる。前記後軸５は、後方に向かうに従って次第に外径が小さくなる形状を有し、後軸５の前端に軸筒３の最大外径部が位置する。また、前記軸筒３の後端部（後軸５の後端部）外面には、後方に向かうに従い外径が次第に小さくなる形状を有する円錐面状の傾斜面５１が形成される。キャップ６を後ろ差しした際、前記傾斜面５１には、キャップ６の開口部内壁が圧接係止（即ち嵌合）される。
【００２２】
前記キャップ６は、一端が閉塞され且つ他端が開口された有底円筒体であり、合成樹脂（例えばポリカーボネイト）の射出成形により得られる。
【００２３】
前記キャップ６の開口部内面には、第１の係止部６１と第２の係止部６２が一体に形成される。前記第１の係止部６１及び第２の係止部６２は環状段部よりなる。前記第１の係止部６１はキャップ６の略開口端に形成され、前記第２の係止部６２は第１の係止部６１の後方に形成される。前記第２の係止部６２の内径は、第１の係止部６１の内径より僅かに小さく設定される。前記第１の係止部６１と第２の係止部６２の軸方向の距離は、ぐらつきの無い安定したキャップ後ろ差し構造が得られる点で、３ｍｍ以上に設定することが好ましい。
【００２４】
また、前記第１の係止部６１及び第２の係止部６２の縦断面における頂部の角度が、９０度より大きく設定することが好ましい。本実施の形態では、第１の係止部６１の頂部の角度は９２度に設定され、第２の係止部６２の頂部の角度は１７０度に設定される。それにより、第１の係止部６１及び第２の係止部６２の各々の頂部が、傾斜面５１との圧接により潰れることを回避できる。
【００２５】
また、キャップ６の外面には、クリップ６３が合成樹脂により一体に設けられる。尚、前記クリップ６３は金属製であってもよい。
【００２６】
図１及び図２に示すように、前記キャップ６を前記軸筒３の後端部に装着したとき、キャップ６の開口部内面の第１の係止部６１及び第２の係止部６２が、軸筒３の後端部外面の傾斜面５１に圧接係止（即ち嵌合）される。このとき、前記第１の係止部６１及び第２の係止部６２の各々は傾斜面５１と２つの環状の線状に圧接係止され、前記第１の係止部６１と第２の係止部６２の間のキャップ６内面と、傾斜面５１との間に環状の隙間が形成される。また、軸筒３の後端部の外面は、キャップ６を係止するための手段（例えば、段部を介した縮径筒部や、乗り越え嵌合用の突起や凹み等）が存在せず、スマートな外観を得る。
【００２７】
また、本実施の形態では、前記傾斜面５１と軸線とがなす角度αが、およそ４度に設定される。それにより、軸筒３の後端部がキャップ６内に強く嵌合されることがなく、後ろ差し状態のキャップ６を容易に取り外すことができ、しかも、筆記時の軸筒３の後端部外面とキャップ６内面との安定した圧接係止が得られ、筆記時にキャップ６がぐらついたり、筆記時にキャップ６が軸筒３の後端部から容易に外れることがない。
【図面の簡単な説明】
【００２８】
【図１】本考案の実施の形態のキャップ後ろ差し状態を示す縦断面図である。
【図２】図１のＳ部拡大図である。
【符号の説明】
【００２９】
１  筆記具
２  ペン先
３  軸筒
４  前軸
５  後軸
５１  傾斜面
６  キャップ
６１  第１の係止部
６２  第２の係止部
６３  クリップ
α  傾斜面と軸線とのなす角度
【図１】
0003144925.tif 000003
【図２】
0003144925.tif 000004